(57)【要約】【課題】  折り畳み式の携帯電話端末において、通話時に表示部が汚損や傷損することを防止する。【解決手段】  表示部６の表示面に対して略垂直方向に突出した形状を有し、回転中心軸が、ヒンジ部５の回転中心軸５ａと同軸の突出部８を第１の筐体１に設ける。第１の筐体１及び第２の筐体３を全開状態に開成させると、突出部８が、該突出部８の突出量分、第１の筐体１を第２の筐体３に対して下がった位置に位置させる。これにより、通話時の使用状態において、ユーザの顔の側面と第１の筐体１の表示部６との間に、上記突出部８の突出量に応じた空隙部Ｋを形成することができ、通話時に、ユーザの顔の側面に第１の筐体の表示部６が当接して、該ユーザの顔の皮脂や汗等が付着して該表示部６が汚損や損傷する不都合を防止することができる。【選択図】  図５
2005110141.tif 000002
【特許請求の範囲】
【請求項１】
主面部に表示部が設けられた第１の筐体の下端部及び第２の筐体の上端部をヒンジ部を介して回動可能に接続した折り畳み式携帯電話端末において、
上記ヒンジ部は、
上記第１の筐体の下端部に設けられ、上記表示部が設けられた主面部側に延びる突出部と、
上記第２の筐体の上端部に設けられ、上記第１の筐体の上記突出部と回動可能に係合するヒンジ片とを有し、
上記ヒンジ部は、上記第１の筐体及び上記第２の筐体を閉状態にしたとき、上記第１の筐体の主面部及び第２の筐体の主面部を互いに近接して位置させ、上記第１の筐体及び上記第２の筐体を全開状態にしたとき、上記突出部により、上記第１の筐体の上端部を、該第１の筐体の下端部よりも上記第２の筐体の上記主面部側に位置させること
を特徴とする折り畳み式携帯電話端末。
【請求項２】
請求項１記載の携帯電話端末であって、
上記ヒンジ部は、上記第１の筐体及び第２の筐体を上記閉状態で固定するポジションと、上記第１の筐体及び第２の筐体を上記全開状態で固定するポジションと、上記第１の筐体及び第２の筐体を、上記閉状態及び上記全開状態の略中間の開成状態で固定するポジションとの、少なくとも上記３つの固定ポジションを有すること
を特徴とする携帯電話端末。
【請求項３】
請求項２記載の携帯電話端末であって、
上記ヒンジ部の上記ポジションを検出するポジション検出手段と、
上記各ポジション毎に予め設定された所定の実行モードを示す実行モード情報を記憶するポジション別実行モード記憶手段と、
上記ポジション検出手段で検出されたポジションに対応する上記実行モード情報を上記ポジション別実行モード記憶手段から読み出し、この実行モード情報に対応する実行モードを実行するモード実行制御手段と
を有する携帯電話端末。
【発明の詳細な説明】
【技術分野】
【０００１】
本発明は、折り畳み式の携帯電話機やＰＨＳ電話機（PHS：Personal Handyphone System）等に設けて好適な携帯電話端末に関し、全開状態にして通話を行った際に、表示部が顔の側面部に接触することで、顔の側面部の皮脂や汗等が表示部に付着して該表示部が汚損し、或いは眼鏡等が表示部に接触して該表示部が傷損する不都合を防止した携帯電話端末に関する。
【背景技術】
【０００２】
従来、第１及び第２の筐体を備え、これら第１及び第２の筐体が互いにヒンジ部を介して接続されている携帯電話端末が普及している。
【０００３】
この携帯電話端末は、図７に示すように第１の筐体１０１にスピーカ部１０２を有する受話部を収納し、第２の筐体１０３にマイクロホン部１０４を有する送話部を収納して構成されている。これら第１及び第２の筐体１０１，１０３は、互いに一端側同士をヒンジ部１０５によって互いに回動可能に接続されている。
【０００４】
第１の筐体１０１は、受話部のスピーカ部１０２が設けられた一方の主面部１０１ａ上に表示部１０６を有している。そして、第２の筐体１０３は、送話部のマイクロホン部１０４が設けられた一方の主面部１０３ａ上に操作部１０７を有している。
【０００５】
第１及び第２の筐体１０１，１０３は、ヒンジ部１０５により、それぞれの一方の主面部１０１ａ，１０３ａ同士を略々当接させる閉蓋状態と、これら一方の主面部１０１ａ，１０３ａ同士が離間しこれら主面部１０１ａ，１０３ａ同士のなす角度が所定の全開角度となる状態とに亘って、図７中矢印ａで示すように、このヒンジ部１０５の回転中心軸回りに互いに回動可能となされている。
【０００６】
この携帯電話端末は、非使用状態で携帯（持ち歩き）するときには、第１及び第２の筐体１０１，１０３の一方の主面部１０１ａ，１０３ａ同士を略々当接させた閉蓋状態とし、通話等を行うときには、図８に示すように、第１及び第２の筐体１０１，１０３の一方の主面部１０１ａ，１０３ａ同士を離間させこれら主面部１０１ａ，１０３ａ同士のなす角度を全開角度として、使用するようになっている。
【０００７】
また、従来、特開平４−１３９９４１号の特許公開公報に、一方の筐体に設けられているスピーカ部分を凸状とし、該一方の筐体とヒンジ部で接続されている他方の筐体のマイクロホン部分を、上記凸状のスピーカ部分に合わせて凹状とした折り畳み式電話機が開示されている。
【０００８】
この折り畳み式電話機は、上記スピーカ部分が、一方の筐体の上端部から徐々に盛り上がるかたちで傾斜加工されている。このため、通話時に上記スピーカ部分を耳に当接させた際に、当該折り畳み式電話機のヒンジ部近傍の部分を、ユーザの顔から離間させることができ、皮脂や化粧品が当該電話機に付着する不都合を防止することができ、また、当該電話機の一部がユーザの顔と当接することで、ユーザの意図しない動作が行われる不都合を防止することができる。
【特許文献１】特開平４−１３９９４１号（第２頁〜第３頁：図１，図４）
【発明の開示】
【発明が解決しようとする課題】
【０００９】
ところで、上述のような携帯電話端末においては、図８に示すようにヒンジ部１０５の回転中心軸１０５ａは、略々第１の筐体１０１の一方の主面部１０１ａを含む平面内に位置している。そのため、このような携帯電話端末においては、第１の筐体１０１の一方の主面部１０１ａからのヒンジ部１０５の突出量が少なく、受話部のスピーカ部１０２をユーザＵの耳介に近接または当接させ送話部のマイクロホン部１０４をユーザＵの口元に接近させて通話を行うときには、表示部１０６がユーザＵの顔面側部に当接することとなる。
【００１０】
このように、表示部１０６がユーザＵの顔面側部に当接すると、この表示部１０６の表面部にユーザＵの顔面の皮脂や汗等が付着して該表示部１０６が汚損され、或いはユーザＵが眼鏡をかけている場合には、この眼鏡に表示部１０６が当接して該表示部１０６が傷損する場合がある。
【００１１】
また、今日においては、多機能化により、携帯電話端末でテレビジョン放送やビデオコンテンツの視聴、さらには複雑なテレビゲームのプレイが可能となりつつある。このため、今後、表示部の大きさや設置位置は携帯電話端末の開発やデザインを行ううえで重要な事項となる。
【００１２】
しかし、特開平４−１３９９４１号の特許公開公報に開示されている折り畳み式携帯電話機は、スピーカ部分を凸状態とし、マイクロホン部分を凹状態とする必要があるため、表示部及び操作部の大きさ，配置，デザインが制約される問題がある。
【００１３】
本発明は、上述の課題に鑑みてなされたものであり、通話を行う使用状態において、表示部の汚損や傷損を防止することができ、また、大きな表示部を設けることができ、制約を受けることなく表示部や操作部の配置やデザインを行うことができるような携帯電話端末を提供することを目的とする。
【課題を解決するための手段】
【００１４】
本発明に係る携帯電話端末は、主面部に表示部が設けられた第１の筐体の下端部及び第２の筐体の上端部をヒンジ部を介して回動可能に接続した折り畳み式携帯電話端末である。
【００１５】
上記ヒンジ部は、上記第１の筐体の下端部に設けられ、上記表示部が設けられた主面部側に延びる突出部と、上記第２の筐体の上端部に設けられ、上記第１の筐体の上記突出部と回動可能に係合するヒンジ片とを有している。
【００１６】
そして、上記ヒンジ部は、上記第１の筐体及び上記第２の筐体を閉状態にしたとき、上記第１の筐体の主面部及び第２の筐体の主面部を互いに近接して位置させる。
【００１７】
また、上記ヒンジ部は、上記第１の筐体及び上記第２の筐体を全開状態にしたとき、上記突出部により、上記第１の筐体の上端部を、該第１の筐体の下端部よりも上記第２の筐体の上記主面部側に位置させる。
【００１８】
一例ではあるが、全開状態とした場合における第１の筐体及び第２の筐体のなす角度を略１７０度とすると、通常、第１の筐体及び第２の筐体は、ヒンジ部を介して直線的となるはずである。
【００１９】
しかし本発明の場合、上記第１の筐体及び上記第２の筐体を全開状態にしたとき、上記ヒンジ部の突出部により、上記第１の筐体の上端部が、該第１の筐体の下端部よりも上記第２の筐体の上記主面部側に配置される。
【００２０】
すなわち、上記ヒンジ部に設けられた上記突出部の突出量分、第１の筐体の空間上の位置が、第２の筐体の空間上の位置に対してオフセットする（第１の筐体が第２の筐体に対して位置的にずれるかたちで配置される。）。
【００２１】
これにより、通話時の使用状態において、ユーザの顔の側面と第１の筐体の表示部との間に、上記突出部の突出量に応じた空隙部が形成され、この空隙部により、ユーザの顔の側面に第１の筐体の表示部が当接し、該ユーザの顔の皮脂や汗等が付着して該表示部が汚損される不具合を防止することができる。また、ユーザが眼鏡をかけている場合には、この眼鏡の柄の部分が表示部に当接して該表示部が傷損する不都合を防止することができる。
【００２２】
また、上記ヒンジ部を機能させる構成であるため、各筐体の主面部に設ける表示部等の表示位置やデザインを自由化することができるうえ、大型の表示部を設けることを可能とすることができる。
【発明の効果】
【００２３】
本発明に係る携帯電話端末は、ヒンジ部に設けられた突出部が、該突出部の突出量分、第１の筐体の空間上の位置を、第２の筐体の空間上の位置に対してオフセットさせることで、通話使用時において、第１の筐体に設けられた表示部とユーザの顔の側面との間に空隙部を形成する。
【００２４】
これにより、第１の筐体に設けられた表示部とユーザの顔の側面との当接を防止することができ、表示部にユーザの汗や皮脂等が付着して該表示部が汚損される不都合を防止することができる。
【００２５】
また、表示部とユーザの顔の側面との当接を防止することができるため、例えばユーザが眼鏡をかけていた場合には、表示部と眼鏡の柄の部分との当接を防止することができ、該眼鏡の柄の部分が当接して表示部が傷損する不都合を防止することができる。
【００２６】
また、上記ヒンジ部を機能させる構成であるため、各筐体の主面部に設ける表示部等の表示位置やデザインを自由化することができるうえ、大型の表示部を設けることを可能とすることができる。
【発明を実施するための最良の形態】
【００２７】
〔携帯電話端末の機械的構成〕
本発明を実施するための最良の形態となる携帯電話端末は、図１の斜視図に示すように第１の筐体１及び第２の筐体３をヒンジ部５を介して互いに接続した、いわゆる折り畳み式の携帯電話端末３０となっている。
【００２８】
第１の筐体１及び第２の筐体３は、図２の側面図中矢印Ａで示すように、ヒンジ部５により、該ヒンジ部５の回転中心軸５ａ回りに互いに回動可能となっている。このため、当該携帯電話端末３０は、図１及び図２に示す主面部１ａ，３ａ同士のなす角度が略々１８０度に近い角度（例えば１６０度〜１７０度程度。１８０度以上開成可能としてもよい。）となる全開状態、及び図３の側面図に示す主面部１ａ，３ａ同士のなす角度が略々０度となる閉状態（各主面部１ａ，３ａの略々全面同士を略当接させる状態）との間で回動可能となっている。
【００２９】
この折り畳み式の携帯電話端末３０は、通話時には図１の斜視図及び図２の側面図に示すように見開きの状態（全開状態）で使用する。このため、通話音声等を発音するためのスピーカ部２は、当該携帯電話端末３０がこの全開状態で通話に使用された際、ユーザの耳の位置となるように、第１の筐体１の上端部に近接して設けられている。同様に、通話音声等を集音するためのマイクロホン部４は、当該携帯電話端末３０が、上記全開状態で通話に使用された際、ユーザの口の位置となるように、第２の筐体３の下端部に近接して設けられている。
【００３０】
また、文字や画像等が表示される表示部６は、第１の筐体１の主面部１ａ上の、上記スピーカ部２と上記ヒンジ部５との間に設けられており、電話番号や文字等の入力を行う操作部７は、第２の筐体３の主面部３ａ上の、上記ヒンジ部５と上記マイクロホン部４との間に、それぞれ設けられている。
【００３１】
（ヒンジ部の構成）
図１〜図３及び図５を参照してヒンジ部５の構成を説明する。
【００３２】
第１の筐体１の下端部の両端には、一対の突出部８が当該第１の筐体１と一体的に設けられている。第２の筐体３の上端部の中央には、上記突出部８と回動可能に係合してヒンジ部５を形成するヒンジ片９が当該第２の筐体３と一体的に設けられている。
【００３３】
突出部８は、第１の筐体１の主面部１ａに対して略直角方向に突出している。この突出部８は、船体に円弧状部分を有し、その長さＢは第２の筐体３の厚みＣと略等しくなっている。
【００３４】
上記ヒンジ片９は、第２の筐体３の上端部から当該第２の筐体３の長手方向に延びており、その先端部には、上記突出部８の円弧状部分と略同一の半径の円弧状部分を有している。
【００３５】
このような一対の突出部８及びヒンジ片９を係合させると、両者の中心軸が一致してヒンジ部５の回転中心軸５ａを形成する。
【００３６】
第１の筐体１及び第２の筐体３を閉状態とした場合、図３に示すように第１の筐体１の主面部１ａ及び第２の筐体３の主面部３ａが近接し、突出部８は、第２の筐体３の長手方向の延長線上に位置し、かつ、当該第２の筐体３の厚さの範囲内に収まるようになっている。
【００３７】
これに対して、第１の筐体１及び第２の筐体３を全開状態とした場合、ヒンジ部５に設けられているクリックストップ機構（図示せず）により、図２に示すように第１の筐体１の下端部が、第２の筐体３の主面部３ａの反対側の面部より後方に位置すると共に、第１の筐体１の上端部が、該第１の筐体１の下端部よりも主面部１ａ方向（表示部６が設けられている方向）に傾斜して位置するように、この全開状態における開成ポジションが固定されるようになっている。
【００３８】
後に図５を用いて説明するが、このような各筐体１，３の位置関係により、当該携帯電話端末３０を通話で使用する際には、ユーザの顔と第１の筐体１との間に、空隙部Ｋが形成され、皮脂や汗等で表示部６が汚損される不具合が防止されるようになっている。
【００３９】
（クリックストップ機構）
ここで、前述のように当該携帯電話端末３０は、各筐体１，３を上記全開状態及び上記閉状態の間で回動可能となっているのであるが、ヒンジ部５は、いわゆるクリックストップ機構を有しており、このクリックストップ機構により、上記全開状態のポジション及び上記閉状態のポジションで各筐体１，３の開成角度を固定するようになっている。
【００４０】
また、このクリックストップ機構は、上記全開状態及び閉状態の略中間の開成状態の中間ポジションで、各筐体１，３の開成角度を固定するようになっている。一例ではあるが、この中間ポジションの開成角度は１２０度〜１４０度程度となっている。
【００４１】
このため、この携帯電話端末３０の場合、全開状態，閉状態及び中間状態の、計３つのポジションで、各筐体１，３の開成角度を固定可能となっている。
【００４２】
〔携帯電話端末の電気的構成〕
次に、この携帯電話端末３０は、図４に示すように制御ライン１１に、制御部１０、通信回路１２、表示部６、操作部７、カメラ装置１６が接続された撮像制御部１３、及び以下に説明する実行モード情報等を記憶するメモリ１４を接続することで構成されている。
【００４３】
また、この携帯電話端末３０は、データライン２０に、通信回路１２、表示部６、メモリ１４、撮像制御部１３、スピーカ部２、マイクロホン部４、ヒンジ部５のポジション検出部１８及びテレビジョンチューナ部１９を接続することで構成されている。
【００４４】
この携帯電話端末３０には、音声通話を行う電話モード、電子メール（携帯メール）の作成，閲覧及び送受信を行うメールモード、カメラ装置１６を用いて所望の被写体の撮像を行うカメラモード、及びテレビジョン放送を視聴するテレビモード等の実行モードが設けられている。
【００４５】
（ポジション毎の実行モードのプリセット）
また、この携帯電話端末３０の場合、上記各ポジション別に所望の実行モードを予め設定することで、そのポジションとなった際に、該予め設定された実行モードが自動的に実行されるようになっている。
【００４６】
この例の場合、前述のように閉状態，全開状態及び中間状態の、計３つの固定ポジションを有しているのであるが、このうち、実行モードの実行に適したポジションは全開状態のポジション及び中間状態のポジションである。このため、この例の場合は、この全開状態のポジション及び中間状態のポジションに対して所望の実行モードを割り当て可能となっている。
【００４７】
具体的には、ユーザは、操作部７を介して、上記電話モード，メールモード、カメラモード、及びテレビモードの中から所望の実行モードを選択し、これを上記全開状態のポジション及び中間状態のポジションに対して割り当て操作する。
【００４８】
一例ではあるが、上記全開状態のポジションは、当該携帯電話端末３０を言わば見開きの状態で手に持って使用することとなる。このため、この全開状態のポジションに対しては、上記電話モード，メールモード、或いはカメラモードを設定することが好ましいであろう。
【００４９】
また、上記中間状態のポジションは、当該携帯電話端末３０を上記１２０度〜１４０度程度開成させて使用することとなる。後に説明するが、この中間状態となると、当該携帯電話端末３０を据え置きにして使用することが可能となる。そして、当該携帯電話端末３０を据え置きの状態とすると、操作部７を両手で操作して文字等の入力を行うことが可能となり、或いは当該携帯電話端末３０を机上等に置いてテレビジョン放送を視聴することが可能となる。従って、この中間状態のポジションに対しては、上記メールモード、或いはテレビモードを設定することが好ましいであろう。
【００５０】
このように各ポジション毎に所望の実行モードが設定されると、制御部１０は、メモリ１４に対して、例えば
全開状態のポジション→電話モード
中間状態のポジション→テレビモード
等のように、各ポジションを示す情報に関連付けて、上記設定された実行モードを示す情報（実行モード情報）を記憶制御する。
【００５１】
後に説明するが、制御部１０は、ポジション検出部１８でヒンジ部５のポジション（この例の場合、上記全開状態及び中間状態のいずれかのポジション）が検出されると、この検出されたポジションに対応する実行モード情報を上記メモリ１４から読み出し、この読み出した実行モード情報に対応する実行モードを実行制御するようになっている。
【００５２】
なお、この例では、全開状態及び中間状態の各ポジションに対して実行モードを割り当てることとしたが、閉状態のポジションに対しても、例えばカメラモード等の実行モードを割り当てるようにしてもよい。以下、この閉状態のポジションに対しては、デフォルトで待ち受けモードが設定されていることとする。
【００５３】
また、この例では、閉状態、全開状態及び中間状態の計３つのポジションに対してそれぞれ所望の実行モードを割り当てることとしたが、例えば開成角度が、０度（閉状態の開成角度）〜８０度のポジションではカメラモード、９０度〜１２０度のポジションではテレビモード、１３０度のポジションではメールモード、１４０度〜１７０度のポジションでは電話モード等のように、開成角度の範囲や開成角度毎に所望の実行モードを設定するようにしてもよい。
【００５４】
〔携帯電話端末の動作及び機能〕
（閉状態のポジション）
この携帯電話端末３０は、非使用時には、図３に示すように第１及び第２の筐体１，３の主面部１ａ，３ａ同士を略々当接させた閉状態で携帯（持ち歩き）される。この場合、第１及び第２の筐体１，３の主面部１ａ，３ａ同士のなす角度は略々０度となっており、図４に示すポジション検出部１８は、ヒンジ部５のポジションを閉状態のポジションとして検出する。
【００５５】
制御部１０は、ポジション検出部１８により閉状態のポジションが検出されると、通信回路１２を制御して、基地局との間で間接的に通信を行いながら着信或いは送信を待つ、いわゆる待ち受けモードを実行制御する。
【００５６】
（全開状態のポジション）
次に、発信或いは着信があった場合、ユーザは、図１及び図２に示すように当該携帯電話端末３０の各筐体１，３を上記全開状態まで開成操作する。この場合、第１及び第２の筐体１，３の主面部１ａ，３ａ同士のなす角度は、例えば１７０度程度となっており、図４に示すポジション検出部１８は、ヒンジ部５のポジションを全開状態のポジションとして検出する。
【００５７】
制御部１０は、ポジション検出部１８により全開状態のポジションが検出されると、この全開状態のポジションに関連付けされて記憶されている実行モード情報を、メモリ１４から読み出す。そして、この実行モード情報に対応する実行モードを実行制御する。
【００５８】
具体的には、この例の場合、前述のように全開状態のポジションに対しては、電話モードの実行が指定されている。このため、制御部１０は、上記ポジション検出部１８により全開状態のポジションが検出されると、着信時には、アンテナ１５ａを介して受信された着信音声を通信回路１２を介してスピーカ部２に供給して発音制御すると共に、マイクロホン部４を介して集音された送信音声を通信回路１２及びアンテナ１５ａを介して基地局に送信制御する。これにより、着信があった場合、当該携帯電話端末３０を全開状態に操作するだけで、着信した電話を自動的に受信することができる。
【００５９】
これに対して、上記ポジション検出部１８により全開状態のポジションが検出された際に着信が無い場合、制御部１０は、ユーザは発信を行うものと判断し、電話番号の入力画面（或いは電話帳に記憶されている電話番号の選択画面）を表示部６に表示制御する。これにより、当該携帯電話端末３０を全開状態に操作するだけで、非着信時には、自動的に電話番号の入力画面或いは選択画面を表示することができる。
【００６０】
なお、ユーザにより所望の電話番号が入力或いは選択されると、制御部１０は、通信回路１２を発信制御して、この電話番号及び当該携帯電話端末３０の端末情報を基地局に送信する。
【００６１】
（突出部の機能）
ここで、この携帯電話端末３０は、表示部６を有する第１の筐体１に設けられた突出部８が、表示部６の表示面に対して略垂直方向に突出した形状を有している。また、突出部８の回転中心軸は、ヒンジ部５の回転中心軸５ａと同軸となっている。
【００６２】
このため、第１の筐体１及び第２の筐体３を全開状態に開成させると、図２に示すように上記突出部８が、該突出部８の突出量分、第１の筐体１を第２の筐体３に対して下がった位置に位置させる。
【００６３】
換言すれば、上記ヒンジ部５に設けられた突出部８の突出量分、第１の筐体１の空間上の位置が、第２の筐体３の空間上の位置に対してオフセットする（第１の筐体１が第２の筐体３に対して位置的にずれるかたちで配置される。）。
【００６４】
通話時となると、ユーザは、当該携帯電話端末３０を上記全開状態とし、図５に示すように耳元にスピーカ部２を近接させると共に、口元にスピーカ部４を近接させた状態で通話を行うのであるが、前述のように上記突出部８は、第１の筐体１の表示面に対して略垂直方向に突出した形状となっているため、この通話時の使用状態において、ユーザの顔の側面と第１の筐体１の表示部６との間に、上記突出部８の突出量に応じた空隙部Ｋを形成する。
【００６５】
また、表示部６は、図１及び図５に示すように、この通話状態において、上記空隙部Ｋに位置するように（ユーザの顔の側面部に当接しないように）、人間工学に基づいて計算され第１の筐体１に設けられている。
【００６６】
これにより、通話等の使用により、ユーザの顔の側面に第１の筐体の表示部６が当接し、該ユーザの顔の皮脂や汗等が付着して該表示部６が汚損される不都合を防止することができる。また、ユーザが眼鏡をかけている場合には、この眼鏡の柄の部分が表示部６に当接して該表示部６が傷損する不都合を防止することができる。
【００６７】
また、表示部６の汚損や傷損を防止することができるため、表示部６を常にクリアな状態で保持することができ、該表示部６に表示する文字や画像等を、ユーザに対して常に鮮明に表示することができる。
【００６８】
また、表示部６を常にクリアな状態で保持することができるため、通話終了時に表示部６をハンカチやペーパーで拭く等の面倒な作業を無くすことができる。
【００６９】
さらに、上記ヒンジ部５を機能させる構成であるため、各筐体１，２に特別な加工を必要とせず、該各筐体１，２の主面部を自由に使用可能とすることができる。このため、各筐体１，２の表示部６や操作部７の設置位置やデザインを自由化することができるうえ、大型の表示部を設けることを可能とすることができる。
【００７０】
（中間状態のポジション）
次に、当該携帯電話端末３０は、上記閉状態及び上記全開状態の中間となる中間状態のポジション（例えば、第１及び第２の筐体１，３の主面部１ａ，３ａ同士のなす角度が１２０度程度）を有している。図６に示すように、ユーザにより、当該携帯電話端末３０の各筐体１，３が中間状態まで開成操作されると、図４に示すポジション検出部１８が、ヒンジ部５のポジションを中間状態のポジションとして検出する。
【００７１】
制御部１０は、ポジション検出部１８により中間状態のポジションが検出されると、この中間状態のポジションに関連付けされて記憶されている実行モード情報を、メモリ１４から読み出す。そして、この実行モード情報に対応する実行モードを実行制御する。
【００７２】
具体的には、この例の場合、前述のように中間状態のポジションに対しては、テレビモードの実行が指定されている。このため、制御部１０は、アンテナ１５ｂで受信され、テレビチューナ部１９により選局されたチャンネルのテレビジョン放送に対応する映像を表示部６に表示制御すると共に、該テレビジョン放送に対応する音声をスピーカ部２を介して発音制御する。これにより、当該携帯電話端末３０を中間状態のポジションとするだけで、自動的にテレビジョン放送を受信することができる。
【００７３】
また、この中間状態となると、図６に示すように当該携帯電話端末３０を机上等に据え置くことが可能となる。このため、当該携帯電話端末３０を中間状態のポジションとするだけで、前述のように自動的にテレビジョン放送を受信することができるうえ、この受信したテレビジョン放送を、机上等に据え置いた状態で視聴することができる。
【００７４】
〔実施形態となる携帯電話端末の効果〕
以上の説明から明らかなように、この携帯電話端末３０は、ヒンジ部５の一部を形成するように設けられた突出部８により、全開状態のポジションにおいて、第２の筐体２よりも、該突出部８の突出量に対応する分、下がった位置に、第１の筐体１を位置させる。
【００７５】
これにより、通話使用時において、第１の筐体１に設けられた表示部６と、ユーザの顔の側面部との間に間隙部Ｋを形成することができ、該表示部６とユーザの顔の側面部との当接を防止することができる。このため、通話使用時において、表示部６が汚損或いは損傷する不都合を防止することができる。
【００７６】
また、この携帯電話端末３０は、ヒンジ部５の開成ポジションに応じて、所望の実行モードをプリセットすることができるようになっている。このため、当該携帯電話端末３０の開成状態に応じて、自動的に上記プリセットされた実行モードを実行することができ、携帯電話端末３０の利便性の向上を図ることができる。
【００７７】
最後に、上述した本発明の実施形態は、本発明の一例である。このため、本発明は、上述の実施形態に限定されることはなく、上述の実施形態以外であっても、本発明に係る技術的思想を逸脱しない範囲であれば、設計等に応じて種々の変更が可能であることは勿論であることを付け加えておく。
【図面の簡単な説明】
【００７８】
【図１】本発明の最良の実施形態となる携帯電話端末の外観を示す斜視図である。
【図２】上記携帯電話端末を全開状態とした場合の側面図である。
【図３】上記携帯電話端末を閉状態（携帯時）とした場合の側面図である。
【図４】上記携帯電話端末のブロック図である。
【図５】上記携帯電話端末が通話に使用されている状態を示す模式図である。
【図６】上記携帯電話端末を中間角度で開状態として机上に置いた場合の側面図である。
【図７】従来の携帯電話端末の外観を示す斜視図である。
【図８】従来の携帯電話端末が通話に使用されている状態を示す模式図である。
【符号の説明】
【００７９】
１  第１の筐体、２  スピーカ部、３  第２の筐体、４  マイクロホン部、５  ヒンジ部、６  表示部、７  操作部、８  突出部、９  ヒンジ片、１０  制御部、１８  ポジション検出部、３０  携帯電話端末
【図１】
2005110141.tif 000003
【図２】
2005110141.tif 000004
【図３】
2005110141.tif 000005
【図４】
2005110141.tif 000006
【図５】
2005110141.tif 000007
【図６】
2005110141.tif 000008
【図７】
2005110141.tif 000009
【図８】
2005110141.tif 000010